(57)【特許請求の範囲】
【請求項１】
１、その構造が、
イ、「『人が話す言葉の発音』をひらがなとしての一音素ごとに識別認識する音声認識    装置」と「『異なる一音素ごとに発光位置を変えて点発光する所定数の清音光点およ    び濁音光点』を所定の配列位置に配列した光点表示装置」の２種類の装置によって構    成される九列五段音声光点表示器。
ロ、「キー盤面の清音キーおよび濁音キーに対する所定のキー押し操作を行なうことに    よってひらがなの入力を行なうキー押し装置」と「入力されたひらがなを順次に『当    該のひらがなの人工音声』に変換し他者に向けて発声し放送する発声装置」の２種類    の装置によって構成される九列五段キー入力発声器。
の２種類の器体の結合によって構成されている機器である。
２、その器体の前後配置において「九列五段音声光点表示器の器体」が前方部に配置され  「九列五段キー入力発声器の器体」が後方部に配置されている機器である。
３、「九列五段音声光点表示器の盤面」におけるその「光点の配列」として、
イ、「所定の位置における１個の清音光点の単独発光によって所定の４５種のひらがな    の清音・撥音をそれぞれに表示する」ために設定された「ひらがなの五十音配列に従    った九列五段からなる清音光点の配列」。
ロ、「所定のひらがなの清音光点との同時発光によって所定の３５種のひらがなの濁音    ・半濁音・拗音・促音・長音をそれぞれに表示する」ために設定された「イの清音光    点の配列の外側の位置に配列された濁音光点の配列」。
の２種類の光点の配列が成されている機器である。
４、「九列五段キー入力発声器の盤面」におけるその「入力キーの配列」として、
イ、「所定の位置における１個の清音キーを単独で押すことによって所定の４５種のひ    らがなの清音・撥音をそれぞれに入力する」ために設定された「ひらがなの五十音配    列に従った九列五段からなる清音キーの配列」。
ロ、「所定の濁音キーを押した直後に所定の清音キーを押すことによって所定の３５種    のひらがなの濁音・半濁音・拗音・促音・長音をそれぞれに入力する」ために設定さ    れた「イの清音キーの配列の外側の位置に配列された濁音キーの配列」。
の２種類の入力キーの配列が成されている機器である。
５、「以上の１〜４における機器としての構成と構造」を有することを特徴とする九列五  段聴話器。
【発明の詳細な説明】
【技術分野】
【０００１】  本願発明は、
１、主として「聴覚障害者（ろう者）」「発声障害者（あ者）」「聴覚障害者で発声障害  者である人（ろうあ者）」が使用する「他者との『言葉としての声』の自在な受話と送  話のための携帯機器」であって、その構造が、
イ、特許出願人本人が２０２０年７月１３日に特許出願をした「特願２０２０−１３３    ３８６」である「九列五段音声光点表示器」。
ロ、特許出願人本人が２０２０年７月１３日に特許出願をした「特願２０２０−１３３    ３８５」である「九列五段キー入力発声器」。
の２種の器体の結合によって構成されていることを特徴とする九列五段聴話器１。
に関する発明である。【０００２】  ただし、
イ、「聴覚障害者（ろう者）」「発声障害者（あ者）」「聴覚障害者で発声障害者である  人（ろうあ者）」の定義。
ロ、「九列五段音声光点表示器」「音声光点表示器」「清音光点」「濁音光点」の定義。
ハ、「九列五段キー入力発声器」「キー入力発声器」「清音キー」「濁音キー」の定義。
ニ、「九列五段聴話器」の定義。
については、以下のとおりである。【０００３】イ、「聴覚障害者（ろう者）」とは、「耳のまったく聴こえない人もしくは強度に難聴で  ある人」をいう。
ロ、「発声障害者（あ者）」とは、「まったく発声をすることができない人もしくは発音  不明瞭な発声をする人」をいう。
ハ、「聴覚障害者で発声障害者である人（ろうあ者）」とは、「耳のまったく聴こえない  人もしくは強度に難聴である人でまったく発声をすることができない人もしくは発音不  明瞭な発声をする人」をいう。【０００４】  「九列五段音声光点表示器」とは、
１、「『聴覚障害者すなわち耳のまったく聴こえない人もしくは強度に難聴である人では  あるが目の見える人』に対して『人が話す言葉をひらがなとしての音素別に区分し当該  の音素に対応して点発光する所定数の清音光点および濁音光点を順次に発光表示させる  ことによって当該の言葉を視覚的に伝えること』を目的とした音声光点表示器」であっ  て、
２、連携的に作動する装置としての
イ、「『人が話す言葉の発音』をひらがなとしての一音素ごとに識別認識し『識別認識    された当該の言葉の一音素』を当該の一音素固有の電気信号に変換し有線もしくは無    線を経て言葉の発音順に従って順次に光点表示装置に送信する機能」を有する音声認    識装置。
ロ、「音声認識装置から有線もしくは無線を経て言葉の発音順に従って順次に送信され    てくる電気信号に対応して所定の位置で点発光する所定数の光点」で「異なる一音素    ごとに発光位置を変えて点発光する所定数の清音光点および濁音光点」を所定の配列    位置に配列した光点表示装置。
の２種類の装置によって構成され、
３、「所定数の清音光点および濁音光点によって形成される光点表示装置の盤面（光点盤  ）」におけるその「光点の配列」として、
イ、「所定の位置における１個の清音光点の単独発光によって所定の４５種のひらがな    の清音・撥音をそれぞれに表示する」ために設定された「ひらがなの五十音配列に従    った九列五段からなる４５個の清音光点の配列」。
ロ、「所定のひらがなの清音光点との同時発光によって所定の３５種のひらがなの濁音    ・半濁音・拗音・促音・長音をそれぞれに表示する」ために設定された「イの清音光    点の配列の外側の位置に配列された３個の濁音光点の配列」。
の２種類の光点の配列が成されていることを特徴とする音声光点表示器。
をいう。【０００５】  「音声光点表示器」とは、
１、「音声認識装置で受信した外部の音声を音素ごとに位置を変えて点発光する清音光点  および濁音光点の発光に変換し当該の音声を光点表示装置によって表示する機器」で、
２、連携的に作動する装置としての
イ、「『人が話す言葉の発音』をひらがなとしての一音素ごとに識別認識し『識別認識    された当該の言葉の一音素』を当該の一音素固有の電気信号に変換し有線もしくは無    線を経て言葉の発音順に従って順次に光点表示装置に送信する機能」を有する音声認    識装置。
ロ、「音声認識装置から有線もしくは無線を経て言葉の発音順に従って順次に送信され    てくる電気信号に対応して所定の位置で点発光する所定数の光点」で「異なる一音素    ごとに発光位置を変えて点発光する所定数の清音光点および濁音光点」を所定の配列    位置に配列した光点表示装置。
の２種類の装置によって構成され、
３、当該の２種類の装置の連携的作動によって外部の音声を「盤面（光点盤）における光  点」として表示する機器。
をいう。【０００６】  「清音光点」とは、
１、「九列五段音声光点表示器の盤面（光点盤）において発光する光点」の一で、
２、「所定の位置における光点としての単独発光によって所定の４５種のひらがなの清音  ・撥音をそれぞれに表示する」ために設定された「ひらがなの五十音配列に従った九列  五段の配列からなる４５個の光点」。
をいう。
「濁音光点」とは、
１、「九列五段音声光点表示器の盤面（光点盤）において発光する光点」の一で、
２、「所定の清音光点との同時発光によって所定の３５種のひらがなの濁音・半濁音・拗  音・促音・長音をそれぞれに表示する」ために設定された「九列五段の清音光点の配列  の外側の位置に配列された３個の光点」。
をいう。【０００７】  「九列五段キー入力発声器」とは、
１、「『発声障害者すなわちまったく発声をすることができない人もしくは発音不明瞭な  発声をする人』が『キー押し装置の盤面（入力盤）の清音キーおよび濁音キーに対する  所定のキー押し操作を行なうことによって入力した電気信号としての所定のひらがなを  発声装置において順次に当該のひらがなの人工音声に変換して他者に向けて発声し放送  することによって発声障害者から他者に対する言葉による意思や情報の自在で正確で迅  速な伝達を行なうこと』を目的としたキー入力発声器」であって、
２、連携的に作動する装置としての
イ、「キー盤面（入力盤）の清音キーおよび濁音キーに対する所定のキー押し操作を行    なうこと」によってキー押し操作者の意思や情報をひらがなとしての音素別に電気信    号として順次に発声装置に向けて送信するキー押し装置。
ロ、「キー押し装置から順次に送信されてくる電気信号としてのひらがな」を順次に「    当該のひらがなの人工音声」に変換し他者に向けて発声し放送する発声装置。
の２種類の装置によって構成され、
３、「所定数の清音キーおよび濁音キーによって形成されるキー押し装置の盤面（入力盤  ）」におけるその「入力キーの配列」として、
イ、「所定の位置における１個の清音キーを単独で押すことによって所定の４５種のひ    らがなの清音・撥音をそれぞれに入力する」ために設定された「ひらがなの五十音配    列に従った九列五段からなる４５個の清音キーの配列」。
ロ、「所定の濁音キーを押した直後に所定の清音キーを押すことによって所定の３５種    のひらがなの濁音・半濁音・拗音・促音・長音をそれぞれに入力する」ために設定さ    れた「イの清音キーの配列の外側の位置に配列された３個の濁音キーの配列」。
の２種類のキーの配列が成されていることを特徴とするキー入力発声器。
をいう。【０００８】  「キー入力発声器」とは、
１、「キー盤面（入力盤）の清音キーおよび濁音キーに対する所定のキー押し操作を行な  うことによって機器外部に対する所定の人工音声による発声を行なう機器」で、
２、連携的に作動する装置としての
イ、「キー盤面（入力盤）の清音キーおよび濁音キーに対する所定のキー押し操作を行    なうこと」によってキー押し操作者の意思や情報をひらがなとしての音素別に電気信    号として順次に発声装置に向けて送信するキー押し装置。
ロ、「キー押し装置から順次に送信されてくる電気信号としてのひらがな」を順次に「    当該のひらがなの人工音声」に変換し他者に向けて発声し放送する発声装置。
の２種類の装置によって構成され、
３、当該の２種類の装置の連携的作動によってキー押し操作者の意思や情報を「言葉とし  ての声」として他者に向けて発声し放送し伝達する機器。
をいう。【０００９】  「清音キー」とは、
１、「九列五段キー入力発声器の盤面（入力盤）においてひらがな入力をする入力キー」  の一で、
２、「所定の位置における入力キーとしての当該キーを単独で押すことによって所定の４  ５種のひらがなの清音・撥音をそれぞれに入力する」ために設定された「ひらがなの五  十音配列に従った九列五段の配列からなる４５個の入力キー」。
をいう。
「濁音キー」とは、
１、「九列五段キー入力発声器の盤面（入力盤）においてひらがな入力をする入力キー」  の一で、
２、「所定の位置における入力キーとしての当該キーを押した直後に所定の清音キーを押  すことによって所定の３５種のひらがなの濁音・半濁音・拗音・促音・長音をそれぞれ  に入力する」ために設定された「九列五段の清音キーの配列の外側の位置に配列された  ３個の入力キー」。
をいう。【００１０】  「九列五段聴話器」とは、
１、主として「聴覚障害者」「発声障害者」「聴覚障害者で発声障害者である人」が使用  する「他者との『言葉としての声』の自在な受話と送話のための携帯機器」で、
２、「他者との『言葉としての声』の自在な受話と送話のための携帯機器」としてのその  構造において、
イ、「九列五段音声光点表示器」。
ロ、「九列五段キー入力発声器」。
の２種の器体が結合して構成され、
３、その器体の前後配置において、「使用者が見る盤面（光点盤）を有する『九列五段音  声光点表示器の器体』」が前方部に配置され「使用者が指先で押してキー入力を行なう  盤面（入力盤）を有する『九列五段キー入力発声器の器体』」が後方部に配置され、
４、使用者が、
イ、「他者からの『言葉としての声』に対応して点発光する『九列五段音声光点表示器    の盤面（光点盤）に配列された清音光点および濁音光点』の所定の発光」を見て他者    からの「言葉としての声」を視覚的に認識し理解することによって、
ロ、「九列五段キー入力発声器の盤面（入力盤）におけるひらがなの入力キーとしての    清音キーおよび濁音キーに対する所定のキー押し操作を行なうこと」によって九列五    段キー入力発声器に「所定の人工音声による発声」を行なわせ、もって他者に向かっ    て「言葉としての声」を発声することによって、
５、「他者との自在な会話」すなわち「他者との『言葉としての声』の自在な受話と送話  」すなわちまた「『言葉としての声』を使って他者との自在で正確で迅速な意思交流や  情報交換を行なうこと」を特徴とする「他者との『言葉としての声』の自在な受話と送  話のための携帯機器」。
をいう。
【背景技術】
【００１１】  従来、「聴覚障害者」「発声障害者」「聴覚障害者で発声障害者である人」が当該障害者同士や当該障害者でない人と「自在な会話」すなわち「自在な受話と送話」すなわちまた「『言葉としての声』を使っての自在で正確で迅速な意思交流や情報交換」を行なう方法は存在しなかった。
｛  注。「筆記筆談や手話」が存在したが、筆記筆談には紙と筆記用具を準備する煩わし  さと筆記に時間がかかり意味要約をしなければならない難があった。手話には双方が指  の動きや形の意味を理解し合えるという前提条件が必要であり、この条件を満たしてい  る人は限られていることから、双方が本来は「言葉としての声」で伝えようと意図して  いた「意思や情報とりわけ難解な言葉や表現、複雑な感情や意思」を意図通りに正確に  伝え合い理解し合うことは実際的には不可能もしくはきわめて困難であると言わざるを  えなかった。｝【００１２】  当該障害者における上記のような「不都合・不便な状況」に対して、本願出願人は、
１、「聴覚障害者が他者からの言葉を光点表示によって視覚的に認識し理解できる機器」  として、２０１９年１０月１８日に「音声光点表示器」を特許出願し「特許第６６８２  １２８号」を取得したものである。
２、「発声障害者がキー入力によって他者に向けて発声できる機器」として、２０１９年  １１月１４日に「キー入力発声器」を特許出願し「特許第６６８２１２９号」を取得し  たものである。
３、また、「特許第６６８２１２８号」および「特許第６６８２１２９号」の取得に従い  、「双方の機器によって構成される携帯機器としての『携帯聴話器』」の特許出願を行  ない、現在「特願２０２０−８５５０５」として特許審査を受けているものである。【００１３】  ところが、
４、「特許第６６８２１２８号である音声光点表示器」においては、
イ、「光点の配列が五列五段で光点数が計２５個と少ないこと」で、「単独発光によっ    て表示される２０個の清音以外の計６０個の清音・撥音・濁音・半濁音・拗音・促音    ・長音」はいずれも「２個もしくは３個の組み合わせの異なる光点をそれぞれに同時    に発光させること」によって表示せざるを得ず、
ロ、聴覚障害者にとっては、「光点の組み合わせが複雑で覚えにくいことから誤判断を    しやすく発話者の言葉を正確に識別認識しにくい」という「利便性・実用性において    の大きな欠点」があった。
５、「特許第６６８２１２９号であるキー入力発声器」においては、
イ、「入力キーの配列が五列五段でキー数が計２５個と少ないこと」で、「１個のキー    を押すことによって入力できる２０個の清音以外の計６０個の清音・撥音・濁音・半    濁音・拗音・促音・長音」はいずれも「２個もしくは３個の組み合わせの異なるキー    をそれぞれに同時に押すこと」によって入力せざるを得ず、
ロ、発声障害者にとっては、「入力キーの組み合わせが複雑で覚えにくいことから誤入    力をしやすく言葉を意図どおりに正確に発声させにくい」という「利便性・実用性に    おいての大きな欠点」があった。
６、当然、「上記の音声光点表示器およびキー入力発声器によって結合構成される『上記  の携帯聴話器』」においても上記の双方の欠点がそのまま引き継がれ、
イ、使用者としての聴覚障害者および発声障害者にとっては、「利便性・実用性におい    ての大きな欠点を有する使い勝手の悪い機器」とならざるを得なかった。【００１４】  そこで、本願出願人は、「上記の利便性・実用性に係る欠点を解消した機器で使用者としての聴覚障害者および発声障害者にとって十分に利便性・実用性が高く使い勝手の良い機器」を実現するために、改めて、
７、２０２０年７月１３日に、
イ、「主として聴覚障害者が使用する音声光点表示器」としての「幼少年者から高齢者    に至るまで日本人ならば誰もが反射反応的にひらがな名の位置が分かる『ひらがなの    五十音配列』」に従った「九列五段で計４５個の清音光点の配列からなりかつ計３個    の濁音光点との組み合わせを簡素化し覚えやすくした『上記の定義に示す九列五段音    声光点表示器』」。
の出願を行ない、現在「特願２０２０−１３３３８６」として特許審査を受けている  ものである。
８、２０２０年７月１３日に、
イ、「主として発声障害者が使用するキー入力発声器」としての「幼少年者から高齢者    に至るまで日本人ならば誰もが反射反応的にひらがな名の位置が分かる『ひらがなの    五十音配列』」に従った「九列五段で計４５個の清音キーの配列からなりかつ計３個    の濁音キーとの組み合わせを簡素化し覚えやすくした『上記の定義に示す九列五段キ    ー入力発声器』」。
の出願を行ない、現在「特願２０２０−１３３３８５」として特許審査を受けている  ものである。
９、また、「上記の九列五段音声光点表示器および九列五段キー入力発声器の出願」を受  けて、本日ここに
イ、「上記の利便性・実用性に係る欠点を解消し使い勝手を良くした九列五段音声光点    表示器および九列五段キー入力発声器によって構成される機器」である本願発明とし    ての『九列五段聴話器』。
を出願するものである。
【先行技術文献】
【特許文献】
【００１５】１、「音声光点表示器」に関する特許文献は、特許第６６８２１２８号公報である。
２、「キー入力発声器」に関する特許文献は、特許第６６８２１２９号公報である。
３、「携帯聴話器」に関する特許文献は、「特願２０２０−８５５０５」である。
４、「九列五段音声光点表示器」に関する特許文献は、「特願２０２０−１３３３８６」  である。
５、「九列五段キー入力発声器」に関する特許文献は、「特願２０２０−１３３３８５」  である。
６、特許出願人が「特許庁のホームページの『Ｊ−ＰｌａｔＰａｔ』」において「九列五  段聴話器１の発明に近似もしくは類似すると考えられる『上記の１〜５の発明以外の先  願事案』」を詳細に検索してみたところ、この発明に近似もしくは類似する事案は存在  しなかった。
【非特許文献】
【００１６】  特許出願人が「九列五段聴話器１の発明に関連する非特許文献」をインターネット検索によって探してみたが適当な参考文献は見つからなかった。
【発明の概要】
【発明が解決しようとする課題】
【００１７】  「聴覚障害者」「発声障害者」「聴覚障害者で発声障害者である人」が当該障害者同士や当該障害者でない人と「自在な会話」すなわち「自在な受話と送話」すなわちまた「『言葉としての声』を使っての自在で正確で迅速な意思交流や情報交換」を行なうことを課題とする。
【課題を解決するための手段】
【００１８】  従来の「聴覚障害者」「発声障害者」「聴覚障害者で発声障害者である人」は、
イ、当該障害者同士や当該障害者でない人と「自在な会話」すなわち「自在な受話と送話  」すなわちまた「『言葉としての声』を使っての自在で正確で迅速な意思交流や情報交  換」を行なうことができないという課題。
を持っていたが、本願発明の「九列五段聴話器１」を使用することによって、
１、「聴覚障害者」「聴覚障害者で発声障害者である人」は、
イ、「話者の言葉としての声」に対応して発光する「九列五段聴話器１における『九列    五段音声光点表示器２の盤面（光点盤）に配列された清音光点４および濁音光点５』    の所定の点発光を見ること」によって「話者の言葉」を視覚的に認識し理解し「話者    から伝達される『言葉としての声』を使っての自在で正確で迅速な意思交流や情報交    換」を行なうことにより、上記の課題を解決する。
２、「発声障害者」「発声障害者で聴覚障害者である人」は、
イ、「九列五段聴話器１における『九列五段キー入力発声器３の盤面（入力盤）の清音    キー６および濁音キー７』に対する所定のキー押し操作を行ないキー入力をして九列    五段キー入力発声器３に『所定の人工音声による声』を発声させること」によって相    手に「言葉としての声」を伝え「『言葉としての声』を使っての自在で正確で迅速な    意思交流や情報交換」を行なうことにより、上記の課題を解決する。
【発明の効果】
【００１９】  「九列五段聴話器１の効果と利便性」については、以下の１〜３のとおりである。
１、「聴覚障害者」「聴覚障害者で発声障害者である人」は、
イ、「話者の言葉としての声」に対応して発光する「九列五段聴話器１における『九列    五段音声光点表示器２の盤面（光点盤）に配列された清音光点４および濁音光点５』    の所定の点発光を見ること」によって「話者の言葉」を視覚的に認識し理解し「話者    から伝達される『言葉としての声』を使っての自在で正確で迅速な意思交流や情報交    換」を行なうことができる効果と利便性がある。
２、「発声障害者」「発声障害者で聴覚障害者である人」は、
イ、「九列五段聴話器１における『九列五段キー入力発声器３の盤面（入力盤）の清音    キー６および濁音キー７』に対する所定のキー押し操作を行ないキー入力をして九列    五段キー入力発声器３に『所定の人工音声による声』を発声させること」によって相    手に「言葉としての声」を伝え「『言葉としての声』を使っての自在で正確で迅速な    意思交流や情報交換」を行なうことができる効果と利便性がある。
３、「九列五段聴話器１」においては、その実用性において最適の大きさである「九列五  段音声光点表示器２の各光点区画の大きさを縦横１０ｍｍ程度」「九列五段キー入力発  声器３のキーピッチを１４ｍｍ程度」とした場合、
イ、折り畳んだ場合は「縦９ｃｍ横１４ｃｍ厚さ２ｃｍ程度」。
ロ、展開した場合は「縦１５ｃｍ横１４ｃｍ厚さ１ｃｍ程度」。
の小型軽量の携帯機器となることで、使用者は日常的にもなんらの支障なくこれを携  帯することができ、使用する場合においては即座に手元に取り出してこれを使用するこ  とが出来る優れた携帯性と利便性がある。
【図面の簡単な説明】
【００２０】
【図１】１、「図１」は、「九列五段聴話器１を展開した場合の斜視図」である。
【図２】２、「図２」は、「九列五段聴話器１を折り畳んだ場合の斜視図」である。
【図３】３、「図３」は、「九列五段音声光点表示器２の盤面（光点盤）における４５個の清音光点４の九列五段のひらがな配列図」および「３個の濁音光点５の配列図」である。
【図４】４、「図４」は、「九列五段キー入力発声器３の盤面（入力盤）における４５個の清音キー６の九列五段のひらがな配列図」および「３個の濁音キー７の配列図」である。
【発明を実施するための形態】
【実施例・１】
【００２１】  「九列五段聴話器１を実施するための最良の形態と使用方法」に関しては、以下の１〜６のとおりである。
１、その外形に関しては、
イ、「図１」に示すような形態。
ロ、すなわち、その器体の前後配置において「九列五段音声光点表示器２の器体」が前    方部に配置され「九列五段キー入力発声器３の器体」が後方部に配置され、その中間    部分が折り畳み部分８となって双方が一体化している形態。
をもって最良の形態とする。
２、その大きさに関しては、「九列五段音声光点表示器２の各光点区画の大きさを縦横１  ０ｍｍ」「九列五段キー入力発声器３のキーピッチを１４ｍｍ」とした場合、
イ、折り畳んだ場合は「縦９ｃｍ横１４ｃｍ厚さ２ｃｍ程度」。
ロ、展開した場合は「縦１５ｃｍ横１４ｃｍ厚さ１ｃｍ程度」。
の小型軽量で携帯可能である形態をもって最良の形態とする。
３、「使用者と他者とが『言葉としての声』を使っての自在で正確で迅速な意思交流や情  報交換を行なう機器」として、
イ、九列五段音声光点表示器２の前方部分に「他者の声を受けるマイク」を設け、九列    五段キー入力発声器３の前方部分に「他者に人工音声を発するスピーカー」を設ける    形態。
をもって最良の形態とする。
【００２２】４、「九列五段聴話器１」の使用者は、
イ、不使用時には、「図２」で図示するように「九列五段音声光点表示器２と九列五段    キー入力発声器３が折り畳まれた状態」として携帯するものとする。
ロ、使用時には、「図１」で図示するように「九列五段音声光点表示器２」が前方部に    「九列五段キー入力発声器３」が後方部になるように折り畳み部分８を展開する。
５、その保持と操作に関しては、例えば、「後方部の九列五段キー入力発声器３」を左手  で保持し
イ、相手が話しかけて来る時には、「前方部の九列五段音声光点表示器２の盤面（光点    盤）で点発光する清音光点４および濁音光点５」を見ることによって「相手の言葉」    を視覚的に認識し理解する。
ロ、相手に話しかける時には、右手の指先で「九列五段キー入力発声器３の盤面（入力    盤）の清音キー６および濁音キー７」を押して「言葉としての声の入力と発声」を行    なう。
６、なお、「上記の１のロの場合と逆の配置」として「九列五段音声光点表示器２が後方  部に九列五段キー入力発声器３が前方部に配置されている」とすると、キー入力を行な  う手指部分が邪魔となって「九列五段音声光点表示器２の盤面（光点盤）」が見づらく  なるので、この配置は行なうべきではない。
【実施例・２】
【００２３】  「九列五段音声光点表示器２の盤面（光点盤）における４５種の清音光点４および３種の濁音光点５の配列」に関しては、「図３」を参照図として、
１、「４５種の清音光点４のひらがな配列」に関しては、「図３」に図示する光点名のと  おりである。
２、「３種の濁音光点５の配列」に関しては、「図３」に図示するように、
イ、「第一濁音光点５」は「第二列のかきくけこ列」の上部の位置に、
ロ、「第二濁音光点５」は「第五列のなにぬねの列」の上部の位置に、
ハ、「第三濁音光点５」は「第八列のやゆよわん列」の上部の位置に、
それぞれ配列される。
【００２４】  「九列五段音声光点表示器２の盤面（光点盤）の清音光点４および濁音光点５の点発光によるひらがなの発光表示の様相」については、以下の１〜８のとおりである。
１、「清音」としての「あ・い・う・え・お・か・き・く・け・こ・さ・し・す・せ・そ  ・た・ち・つ・て・と・な・に・ぬ・ね・の・は・ひ・ふ・へ・ほ・ま・み・む・め・  も・や・ゆ・よ・わ・ら・り・る・れ・ろ」および「撥音」としての「ん」の発光表示  については、
イ、「『図３で図示する光点名』のとおりにそれぞれが単独で発光すること」によって    それぞれ表示される。
２、「濁音」としての「が・ぎ・ぐ・げ・ご・ざ・じ・ず・ぜ・ぞ」の発光表示について  は、
イ、「清音光点４としての『か・き・く・け・こ・さ・し・す・せ・そ』のそれぞれの    光点と第一濁音光点５が同時に発光すること」によってそれぞれ表示される。
３、「濁音」としての「だ・ぢ・づ・で・ど・ば・び・ぶ・べ・ぼ」の発光表示について  は、
イ、「清音光点４としての『た・ち・つ・て・と・は・ひ・ふ・へ・ほ』のそれぞれの    光点と第二濁音光点５が同時に発光すること」によってそれぞれ表示される。
４、「半濁音」としての「ぱ・ぴ・ぷ・ぺ・ぽ」の発光表示については、
イ、「清音光点４としての『な・に・ぬ・ね・の』のそれぞれの光点と第二濁音光点５    が同時に発光すること」によってそれぞれ表示される。
５、「拗音」としての「ぁ・ぃ・ぅ・ぇ・ぉ」の発光表示については、
イ、「清音光点４としての『あ・い・う・え・お』のそれぞれの光点と第一濁音光点５    が同時に発光すること」によってそれぞれ表示される。
６、「拗音」としての「ゃ・ゅ・ょ」の発光表示については、
イ、「清音光点４としての『や・ゆ・よ』のそれぞれの光点と第三濁音光点５が同時に    発光すること」によってそれぞれ表示される。
７、「促音」としての「っ」の発光表示については、
イ、「清音光点４としての『ま』の光点と第三濁音光点５が同時に発光すること」によ    って表示される。
８、「長音」としての「ー」の発光表示については、
イ、「清音光点４としての『ら』の光点と第三濁音光点５が同時に発光すること」によ    って表示される。
【００２５】  ただし、
１、「清音光点４における視覚的識別」を容易とするために、
イ、「第一列のあいうえお列の５種の光点の色」は「赤色」とする。
ロ、「第二列のかきくけこ列の５種の光点の色」は「黄色」とする。
ハ、「第三列のさしすせそ列の５種の光点の色」は「青色」とする。
ニ、「第四列のたちつてと列の５種の光点の色」は「赤色」とする。
ホ、「第五列のなにぬねの列の５種の光点の色」は「黄色」とする。
ヘ、「第六列のはひふへほ列の５種の光点の色」は「青色」とする。
ト、「第七列のまみむめも列の５種の光点の色」は「赤色」とする。
チ、「第八列のやゆよわん列の５種の光点の色」は「黄色」とする。
リ、「第九列のらりるれろ列の５種の光点の色」は「青色」とする。
２、また、「濁音光点としての第一濁音光点５・第二濁音光点５・第三濁音光点５の色」  はいずれも「緑色」とする。
【００２６】  「話者の言葉に対応して発光する『九列五段音声光点表示器２の盤面（光点盤）の清音光点４および濁音光点５における点発光』の様相に関する例」としては、以下の「１におけるイ〜ホ」および「２におけるイ〜リ」のとおりである。
１、「話者における『こんにちは』という言葉」に対しては、以下のイ〜ホのように「該  当の清音光点４」が単独で順次発光する。
イ、「『こ』の発音」に対しては、「『こ』の１光点」が単独で発光する。
ロ、「『ん』の発音」に対しては、「『ん』の１光点」が単独で発光する。
ハ、「『に』の発音」に対しては、「『に』の１光点」が単独で発光する。
ニ、「『ち』の発音」に対しては、「『ち』の１光点」が単独で発光する。
ホ、「『は』の発音」に対しては、「『わ』の１光点」が単独で発光する。
２、「話者における『ピッチングフォーム』という言葉」に対しては、以下のイ〜リのよ  うに「該当の清音光点４および濁音光点５」が単独でもしくは同時に順次発光する。
イ、「『ぴ』の発音」に対しては、「『に』と第二濁音光点５の２光点」が同時に発光    する。
ロ、「『っ』の発音」に対しては、「『ま』と第三濁音光点５の２光点」が同時に発光    する。
ハ、「『ち』の発音」に対しては、「『ち』の１光点」が単独で発光する。
ニ、「『ん』の発音」に対しては、「『ん』の１光点」が単独で発光する。
ホ、「『ぐ』の発音」に対しては、「『く』と第一濁音光点５の２光点」が同時に発光    する。
ヘ、「『ふ』の発音」に対しては、「『ふ』の１光点」が単独で発光する。
ト、「『ぉ』の発音」に対しては、「『お』と第一濁音光点５の２光点」が同時に発光    する。
チ、「『ー』の発音」に対しては、「『ら』と第三濁音光点５の２光点」が同時に発光    する。
リ、「『む』の発音」に対しては、「『む』の１光点」が単独で発光する。
【００２７】  聴覚障害者は、「目前の九列五段音声光点表示器２の盤面もしくはテレビ画面等に表示された九列五段音声光点表示器２の画面の清音光点４および濁音光点５における上記の『１のイ〜ホ』及び『２のイ〜リ』の連続発光を視認すること」によって、話者における「『こんにちは』および『ピッチングフォーム』という言葉」を視覚的に認識し理解することができ、「九列五段聴話器１の機能と効果・利便性」を得ることができる。
【００２８】  昨今の電子機器部品の著しい能力的進化から、九列五段音声光点表示器２における音声識別精度・音声認識精度については今後もさらに向上することは確実であり、当然、将来時点においては「九列五段音声光点表示器２における音声表現機能の精密性・正確性・高速性」もいっそう向上し「九列五段聴話器１における言葉の伝達機器としての信頼性・利便性・実用性」もまた十二分に確立されることは確実である。
【００２９】  もとより、聴覚障害者が「九列五段音声光点表示器２の盤面（光点盤）において順次に位置を変えて点発光する清音光点４および濁音光点５の発光」を見て話者の言葉を自在かつ正確に理解するためには、事前に「十分相応の読み取り訓練」を行なっておくことは絶対的に必要であり、「話者における早口言葉にも対応できる程度の読み取り能力」に習熟しておく必要があることは言うまでもないことである。
【実施例・３】
【００３０】  「九列五段キー入力発声器３の盤面（入力盤）における４５種の清音キー６および３種の濁音キー７の配列」に関しては、「図４」を参照図として、
１、「４５種の清音キー６のひらがな配列」に関しては、「図４」に図示するキー名のと  おりである。
２、「３種の濁音キー７の配列」に関しては、「図４」に図示するように、
イ、「第一濁音キー７」は「第二列のかきくけこ列」の上部の位置に、
ロ、「第二濁音キー７」は「第五列のなにぬねの列」の上部の位置に、
ハ、「第三濁音キー７」は「第八列のやゆよわん列」の上部の位置に、
それぞれ配列される。
【００３１】  「九列五段キー入力発声器３の盤面（入力盤）の清音キー６および濁音キー７を使ってのひらがなの入力方法」については、以下の１〜８のとおりである。
１、「清音」としての「あ・い・う・え・お・か・き・く・け・こ・さ・し・す・せ・そ  ・た・ち・つ・て・と・な・に・ぬ・ね・の・は・ひ・ふ・へ・ほ・ま・み・む・め・  も・や・ゆ・よ・わ・ら・り・る・れ・ろ」および「撥音」としての「ん」の入力方法  については、
イ、「『図４で図示する当該のキー名の清音キー６』を単独で押すこと」によってそれ    ぞれ入力する。
２、「濁音」としての「が・ぎ・ぐ・げ・ご・ざ・じ・ず・ぜ・ぞ」の入力方法について  は、
イ、「第一濁音キー７を押した直後に清音キー６としての『か・き・く・け・こ・さ・    し・す・せ・そ』のそれぞれのキーを押すこと」によってそれぞれ入力する。
３、「濁音」としての「だ・ぢ・づ・で・ど・ば・び・ぶ・べ・ぼ」の入力方法について  は、
イ、「第二濁音キー７を押した直後に清音キー６としての『た・ち・つ・て・と・は・    ひ・ふ・へ・ほ』のそれぞれのキーを押すこと」によってそれぞれ入力する。
４、「半濁音」としての「ぱ・ぴ・ぷ・ぺ・ぽ」の入力方法については、
イ、「第二濁音キー７を押した直後に清音キー６としての『な・に・ぬ・ね・の』のそ    れぞれのキーを押すこと」によってそれぞれ入力する。
５、「拗音」としての「ぁ・ぃ・ぅ・ぇ・ぉ」の入力方法については、
イ、「第一濁音キー７を押した直後に清音キー６としての『あ・い・う・え・お』のそ    れぞれのキーを押すこと」によってそれぞれ入力する。
６、「拗音」としての「ゃ・ゅ・ょ」の入力方法については、
イ、「第三濁音キー７を押した直後に清音キー６としての『や・ゆ・よ』のそれぞれの    キーを押すこと」によってそれぞれ入力する。
７、「促音」としての「っ」の入力方法については、
イ、「第三濁音キー７を押した直後に清音キー６としての『ま』のキーを押すこと」に    よって入力する。
８、「長音」としての「ー」の入力方法については、
イ、「第三濁音キー７を押した直後に清音キー６としての『ら』のキーを押すこと」に    よって入力する。
【００３２】  「発声障害者が『九列五段キー入力発声器３の盤面（入力盤）の清音キー６および濁音キー７に対する所定のキー押し操作』を行ない『相応の言葉の入力と発声』を行なう様相に関する例」としては、以下の「１におけるイ〜ホ」および「２におけるイ〜リ」のとおりである。
１、「発声障害者が『こんにちは』という言葉を発声しようとする場合」においては、以  下のイ〜ホのように、「該当の１個の清音キー６を単独で押すこと」によって順次に発  声がなされる。
イ、「『こ』の発声」は、「『こ』の清音キーを押すこと」によってなされる。
ロ、「『ん』の発声」は、「『ん』の清音キーを押すこと」によってなされる。
ハ、「『に』の発声」は、「『に』の清音キーを押すこと」によってなされる。
ニ、「『ち』の発声」は、「『ち』の清音キーを押すこと」によってなされる。
ホ、「『は』の発声」は、「『わ』の清音キーを押すこと」によってなされる。
２、「発声障害者が『ピッチングフォーム』という言葉を発声しようとする場合」におい  ては、以下のイ〜リのように、「該当の１個の清音キー６を単独で押すこと」もしくは  「該当の１個の濁音キー７を押した直後に該当の１個の清音キー６を押すこと」によっ  て順次に発声がなされる。
イ、「『ぴ』の発声」は、「第二濁音キーを押した直後に『に』の清音キーを押すこと    」によってなされる。
ロ、「『っ』の発声」は、「第三濁音キーを押した直後に『ま』の清音キーを押すこと    」によってなされる。
ハ、「『ち』の発声」は、「『ち』の清音キーを単独で押すこと」によってなされる。
ニ、「『ん』の発声」は、「『ん』の清音キーを単独で押すこと」によってなされる。
ホ、「『ぐ』の発声」は、「第一濁音キーを押した直後に『く』の清音キーを押すこと    」によってなされる。
ヘ、「『ふ』の発声」は、「『ふ』の清音キーを単独で押すこと」によってなされる。
ト、「『ぉ』の発声」は、「第一濁音キーを押した直後に『お』の清音キーを押すこと    」によってなされる。
チ、「『ー』の発声」は、「第三濁音キーを押した直後に『ら』の清音キーを押すこと    」によってなされる。
リ、「『む』の発声」は、「『む』の清音キーを単独で押すこと」によってなされる。
【００３３】  発声障害者は、「九列五段キー入力発声器３の盤面（入力盤）の清音キー６および濁音キー７に対する上記の『１のイ〜ホ』および『２のイ〜リ』に示すようなキー押し操作を行ない相応の発声を行なうこと」によって、他者に対して「『こんにちは』および『ピッチングフォーム』という言葉」を言葉として伝達することができ、「九列五段聴話器１の機能と効果・利便性」を得ることができる。
【００３４】  なお、「濁音・半濁音・拗音・促音・長音の入力」に際しては、「上記の清音キー６および濁音キー７の押し順とは逆の押し順」としての「該当の清音キー６を押した直後に該当の濁音キー７を押すこと」によってそれぞれの入力がなされてもよい。
【００３５】  昨今の電子機器部品の著しい能力的進化から、九列五段キー入力発声器３における発声精度については今後もさらに向上することは確実であり、当然、将来時点においては「九列五段キー入力発声器３における発声機能の精密性・正確性・高速性」もいっそう向上し「発声障害者における幼少年男女・青年男女・壮年男女・老年男女それぞれの声色・声質に対応した人工音声」を発声することによって「九列五段聴話器１における言葉の伝達機器としての信頼性・利便性・実用性」もまた十二分に確立されることは確実である。
【００３６】  もとより、発声障害者が「九列五段キー入力発声器３におけるキー押し操作において自身の意思や情報を自在に正確に迅速に他者に伝達する」ためには、事前に「十分相応の正確かつ迅速なキー入力を可能とする訓練」を行なっておくことは絶対的に必要であり、「早口な言葉使いにも対応できる程度の迅速なキー押し操作」に習熟しておく必要があることは言うまでもないことである。
【実施例・４】
【００３７】  携帯電話機やスマートフォンおよびタブロイドパソコンやパソコンにおいて、「九列五段音声光点表示器２」と「九列五段キー入力発声器３」をアプリとして搭載し、
１、使用者としての聴覚障害者が「携帯電話機やスマートフォンおよびタブロイドパソコ  ンやパソコンの画面の九列五段音声光点表示器２において外部者の言葉に対応しての所  定の光点表示を行なわせること」によって外部者の言葉を認識し理解し、
２、使用者としての発声障害者が「携帯電話機やスマートフォンおよびタブロイドパソコ  ンやパソコンの画面の九列五段キー入力発声器３のタッチパネルもしくは押しボタンか  らなるキー盤面において所定のキー入力を行なうこと」によって外部への人工音声によ  る発声を行ない、
３、この受話と送話を行なうことによって、使用者と外部者との間における「言葉として  の声を使っての自在で正確で迅速な意思交流や情報交換」を行なってもよい。
【産業上の利用可能性】
【００３８】  九列五段聴話機１は、「聴覚障害者」「発声障害者」「聴覚障害者で発声障害者である人」が当該障害者同士や当該障害者でない人と「自在な会話」すなわち「自在な受話と送話」すなわちまた「『言葉としての声』による自在で正確で迅速な意思交流や情報交換」を行なうための機器であり、したがって当該使用者におけるその利用の可能性と利便性は極めて大であるから、障害者福祉上・産業上の十分なる利用可能性を有する。
【符号の説明】
【００３９】  １は、九列五段聴話器。２は、九列五段音声光点表示器。３は、九列五段キー入力発声器。４は、清音光点。５は、濁音光点。６は、清音キー。７は、濁音キー。８は、折り畳み部分。
【要約】
【課題】「聴覚障害者」「発声障害者」「聴覚障害者で発声障害者である人」が当該障害者同士や当該障害者でない人と「自在な会話」すなわち「『言葉としての声』を使っての自在で正確で迅速な意思交流や情報交換」を行なうことを課題とする。
【解決手段】「九列五段音声光点表示器２と九列五段キー入力発声器３によって構成される九列五段聴話器１」において、上記の障害者である使用者が「九列五段音声光点表示器２の盤面で相手の言葉に対応して順次に点滅するひらがなの光点を見ること」によって外部の話者の言葉を視覚的に認識し理解し、「九列五段キー入力発声器３の盤面においてひらがなを順次にキー入力し人工音声を発声させること」によって外部者に言葉を伝え、もって使用者と外部者が「『言葉としての声』を使っての自在な会話すなわち自在で正確で迅速な意思交流や情報交換」を行なう。
【選択図】図１【図１】
0006802618.tif 000002
【図２】
0006802618.tif 000003
【図３】
0006802618.tif 000004
【図４】
0006802618.tif 000005